(57)【特許請求の範囲】
【請求項１】
目標とするエネルギー需要量となるように制御対象の期間である制御期間に需要家の機器を制御するエネルギー需要制御装置であって、
需要家設備におけるエネルギー使用状況を含む需要家情報を需要家ごとに取得する取得部と、
前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理部と、
前記需要家設備において削減可能なエネルギー需要量の予測値または促進可能なエネルギー需要量の予測値である調整可能量予測値を前記需要家設備ごとに予測する予測部と、
前記エネルギー需要量の制御量の目標値と、少なくとも前記調整可能量予測値とに基づいて前記エネルギー需要量を制御する対象とする需要家設備を選定する選定部と、
選定された前記需要家設備へエネルギー需要量の削減または増加をさせるための制御信号を送信する送信部と、
を備えることを特徴とするエネルギー需要制御装置。
【請求項２】
前記取得部は、
需要家設備におけるエネルギー使用状況と、電力需要制御開始後の需要家の行動を示す情報とを含む需要家情報を需要家ごとに取得し、
前記選定部は、
前記エネルギー需要量の制御量の目標値と、前記調整可能量予測値と、前記需要家情報に含まれる前記電力需要制御開始後の需要家の行動を示す情報に基づいて算出される参加度であって前記需要家設備が前記エネルギー需要量の制御を承諾する確度を表す参加度と、前記需要家設備に要請された制御量に対してどの程度の制御量を遂行するかを表す制御量確度と、に基づいて前記エネルギー需要量を制御する対象とする需要家設備を選定する
ことを特徴とする請求項１に記載のエネルギー需要制御装置。
【請求項３】
前記選定部は、前記参加度と前記制御量確度とに基づいて決定される前記需要家設備ごとの優先度に基づいて選定する
ことを特徴とする請求項２に記載のエネルギー需要制御装置。
【請求項４】
前記選定部は、前記参加度と前記制御量確度とが所定の値よりも高い前記需要家設備を初回の前記サイクル期間における前記エネルギー需要量の制御の制御対象として選定しない
ことを特徴とする請求項２に記載のエネルギー需要制御装置。
【請求項５】
前記選定部は、前記参加度と前記制御量確度とが所定の値よりも低い前記需要家設備を初回の前記サイクル期間における前記エネルギー需要量の制御の制御対象として選定する
ことを特徴とする請求項２に記載のエネルギー需要制御装置。
【請求項６】
前記選定部は、前記エネルギー需要量を制御する対象とする前記需要家設備の一部をランダムに選択する
ことを特徴とする請求項１に記載のエネルギー需要制御装置。
【請求項７】
前記予測部は、前記需要家設備におけるエネルギー使用量に影響を与える外的要因を示す外的要因情報、前記需要家設備ごとの過去の前記エネルギー需要量の制御実績を示す過去制御実績情報、または前記需要家設備ごとの現在の前記エネルギー需要量の制御実績を示す現在制御実績情報の少なくとも１つに基づいて予測する
ことを特徴とする請求項１に記載のエネルギー需要制御装置。
【請求項８】
目標とするエネルギー需要量となるように制御対象の期間である制御期間に需要家の機器を制御するエネルギー需要制御装置のコンピュータが用いるエネルギー需要制御方法であって、
取得部が、需要家設備におけるエネルギー使用状況を含む需要家情報を需要家ごとに取得する取得ステップと、
管理部が、前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理ステップと、
予測部が、前記需要家設備において削減可能なエネルギー需要量の予測値または促進可能なエネルギー需要量の予測値である調整可能量予測値を前記需要家設備ごとに予測する予測ステップと、
選定部が、前記エネルギー需要量の制御量の目標値と、少なくとも前記調整可能量予測値とに基づいて前記エネルギー需要量を制御する対象とする需要家設備を選定する選定ステップと、
送信部が、選定された前記需要家設備へエネルギー需要量の削減または増加をさせるための制御信号を送信する送信ステップと、
を備えることを特徴とするエネルギー需要制御方法。
【請求項９】
目標とするエネルギー需要量となるように制御対象の期間である制御期間に需要家の機器を制御するエネルギー需要制御装置と、少なくとも１つの需要家設備と、を有するエネルギー需要制御システムであって、
前記エネルギー需要制御装置は、
需要家設備におけるエネルギー使用状況を含む需要家情報を需要家ごとに取得する取得部と、
前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理部と、
前記需要家設備において削減可能なエネルギー需要量の予測値または促進可能なエネルギー需要量の予測値である調整可能量予測値を前記需要家設備ごとに予測する予測部と、
前記エネルギー需要量の制御量の目標値と、少なくとも前記調整可能量予測値とに基づいて前記エネルギー需要量を制御する対象とする需要家設備を選定する選定部と、
選定された前記需要家設備へエネルギー需要量の削減または増加をさせるための制御信号を送信する送信部と、
を備え、
前記需要家設備は、
前記エネルギー使用状況を含む前記需要家情報を前記取得部へ送信するスマートメータと、
前記送信部から送信された前記制御信号に基づいてエネルギー使用量が調整される負荷機器と、
を備える
ことを特徴とするエネルギー需要制御システム。
【請求項１０】
目標とするエネルギー需要量となるように制御対象の期間である制御期間に需要家の機器を制御するエネルギー需要制御装置のコンピュータに、
需要家設備におけるエネルギー使用状況を含む需要家情報を需要家ごとに取得する取得ステップと、
前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理ステップと、
前記需要家設備において削減可能なエネルギー需要量の予測値または促進可能なエネルギー需要量の予測値である調整可能量予測値を前記需要家設備ごとに予測する予測ステップと、
前記エネルギー需要量の制御量の目標値と、少なくとも前記調整可能量予測値とに基づいて前記エネルギー需要量を制御する対象とする需要家設備を選定する選定ステップと、
選定された前記需要家設備へエネルギー需要量の削減または増加をさせるための制御信号を送信する送信ステップと、
を実行させるためのプログラム。
【発明の詳細な説明】
【技術分野】
【０００１】
本発明は、エネルギー需要制御装置、エネルギー需要制御方法、エネルギー需要制御システム、およびプログラムに関する。
【背景技術】
【０００２】
卸市場価格の高騰時または系統信頼性の低下時において、電気料金価格の設定またはインセンティブの支払に応じて、需要家側が電力の使用を抑制するよう電力使用パターンを変化させる仕組みであるデマンドレスポンス（ＤＲ；Ｄｅｍａｎｄ  Ｒｅｓｐｏｎｓｅ）がある。その中でも、電力会社側から制御信号を送信し、需要家側における負荷機器の電力使用量を直接制御する自動デマンドレスポンスの導入が広まりつつある。
自動デマンドレスポンスでは、例えば、各需要家において調整可能な電力使用削減量の予測が行われ、電力需要量の調整における全体の目標値と当該予測の結果とに基づいて電力需要量を制御する対象となる需要家が選定される。そのため、電力需要量の調整の精度は、各需要家において調整可能な電力使用削減量または電力使用促進量の予測の精度に依存する。
【０００３】
特許文献１に記載の電力需要調整システムは、需要家の設備機器への負荷を調整するとき、調整すべき負荷量である調整目標値と各負荷機器の情報である機器別負荷情報（例えば、負荷機器の動作状態、および当該負荷機器における負荷調整の許容範囲）とに基づいて動作状態の変更を要請する対象となる負荷機器を選択する。そして、電力需要調整システムは、選択された負荷機器の動作状態の変更を要請する変更要請を出力することを、調整の開始から完了までの期間に複数回実行することによって、電力系統における需要調整の精度を向上させる。
【先行技術文献】
【特許文献】
【０００４】
【特許文献１】特開２０１３−１３２１５３号公報
【発明の概要】
【発明が解決しようとする課題】
【０００５】
しかしながら、各需要家において調整可能な電力使用削減量または電力使用促進量は、上記の機器別負荷情報以外の様々な要因によっても左右される。例えば、天候、曜日、時間帯、およびイベントの有無等による外部要因もそのような要因になりうる。また、電力需要量の制御への協力度（参加度）や、要求された電力需要量の達成度（制御量確度）のような、需要家ごとに異なる特徴もそのような要因となる。
また、制御対象として選定された需要家は負担を強いられることになるため、例えば、電力需要量の調整が長時間行われる場合には、公平かつ効率的に需要家が選定されることが好ましい。
【０００６】
本発明は上記の点に鑑みてなされたものであり、適切に需要家を選定してエネルギー需要量を制御することができるエネルギー需要制御装置、エネルギー需要制御方法、エネルギー需要制御システム、およびプログラムを提供する。
【課題を解決するための手段】
【０００７】
（１）本発明は上記の課題を解決するためになされたものであり、本発明の一態様としては、目標とするエネルギー需要量となるように制御対象の期間である制御期間に需要家の機器を制御するエネルギー需要制御装置であって、需要家設備におけるエネルギー使用状況を含む需要家情報を需要家ごとに取得する取得部と、前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理部と、前記需要家設備において削減可能なエネルギー需要量の予測値または促進可能なエネルギー需要量の予測値である調整可能量予測値を前記需要家設備ごとに予測する予測部と、前記エネルギー需要量の制御量の目標値と、少なくとも前記調整可能量予測値とに基づいて前記エネルギー需要量を制御する対象とする需要家設備を選定する選定部と、選定された前記需要家設備へエネルギー需要量の削減または増加をさせるための制御信号を送信する送信部と、を備えることを特徴とするエネルギー需要制御装置である。
【０００８】
（２）また、本発明の一態様としては、前記取得部は、需要家設備におけるエネルギー使用状況と、電力需要制御開始後の需要家の行動を示す情報とを含む需要家情報を需要家ごとに取得し、前記選定部は、前記エネルギー需要量の制御量の目標値と、前記調整可能量予測値と、前記需要家情報に含まれる前記電力需要制御開始後の需要家の行動を示す情報に基づいて算出される参加度であって前記需要家設備が前記エネルギー需要量の制御を承諾する確度を表す参加度と、前記需要家設備に要請された制御量に対してどの程度の制御量を遂行するかを表す制御量確度と、に基づいて前記エネルギー需要量を制御する対象とする需要家設備を選定することを特徴とする（１）に記載のエネルギー需要制御装置である。
【０００９】
（３）また、本発明の一態様としては、前記選定部は、前記参加度と前記制御量確度とに基づいて決定される前記需要家設備ごとの優先度に基づいて選定することを特徴とする（２）に記載のエネルギー需要制御装置である。
【００１０】
（４）また、本発明の一態様としては、前記選定部は、前記参加度と前記制御量確度とが所定の値よりも高い前記需要家設備を初回の前記サイクル期間における前記エネルギー需要量の制御の制御対象として選定しないことを特徴とする（２）に記載のエネルギー需要制御装置である。
【００１１】
（５）また、本発明の一態様としては、前記選定部は、前記参加度と前記制御量確度とが所定の値よりも低い前記需要家設備を初回の前記サイクル期間における前記エネルギー需要量の制御の制御対象として選定することを特徴とする（２）に記載のエネルギー需要制御装置である。
【００１２】
（６）また、本発明の一態様としては、前記選定部は、前記エネルギー需要量を制御する対象とする前記需要家設備の一部をランダムに選択することを特徴とする（１）に記載のエネルギー需要制御装置である。
【００１３】
（７）また、本発明の一態様としては、前記予測部は、前記需要家設備におけるエネルギー使用量に影響を与える外的要因を示す外的要因情報、前記需要家設備ごとの過去の前記エネルギー需要量の制御実績を示す過去制御実績情報、または前記需要家設備ごとの現在の前記エネルギー需要量の制御実績を示す現在制御実績情報の少なくとも１つに基づいて予測することを特徴とする（１）に記載のエネルギー需要制御装置である。
【００１４】
（８）また、本発明の一態様としては、目標とするエネルギー需要量となるように制御対象の期間である制御期間に需要家の機器を制御するエネルギー需要制御装置のコンピュータが用いるエネルギー需要制御方法であって、取得部が、需要家設備におけるエネルギー使用状況を含む需要家情報を需要家ごとに取得する取得ステップと、管理部が、前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理ステップと、予測部が、前記需要家設備において削減可能なエネルギー需要量の予測値または促進可能なエネルギー需要量の予測値である調整可能量予測値を前記需要家設備ごとに予測する予測ステップと、選定部が、前記エネルギー需要量の制御量の目標値と、少なくとも前記調整可能量予測値とに基づいて前記エネルギー需要量を制御する対象とする需要家設備を選定する選定ステップと、送信部が、選定された前記需要家設備へエネルギー需要量の削減または増加をさせるための制御信号を送信する送信ステップと、を備えることを特徴とするエネルギー需要制御方法である。
【００１５】
（９）また、本発明の一態様としては、目標とするエネルギー需要量となるように制御対象の期間である制御期間に需要家の機器を制御するエネルギー需要制御装置と、少なくとも１つの需要家設備と、を有するエネルギー需要制御システムであって、前記エネルギー需要制御装置は、需要家設備におけるエネルギー使用状況を含む需要家情報を需要家ごとに取得する取得部と、前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理部と、前記需要家設備において削減可能なエネルギー需要量の予測値または促進可能なエネルギー需要量の予測値である調整可能量予測値を前記需要家設備ごとに予測する予測部と、前記エネルギー需要量の制御量の目標値と、少なくとも前記調整可能量予測値とに基づいて前記エネルギー需要量を制御する対象とする需要家設備を選定する選定部と、選定された前記需要家設備へエネルギー需要量の削減または増加をさせるための制御信号を送信する送信部と、を備え、前記需要家設備は、前記エネルギー使用状況を含む前記需要家情報を前記取得部へ送信するスマートメータと、前記送信部から送信された前記制御信号に基づいてエネルギー使用量が調整される負荷機器と、を備えることを特徴とするエネルギー需要制御システムである。
【００１６】
（１０）また、本発明の一態様としては、目標とするエネルギー需要量となるように制御対象の期間である制御期間に需要家の機器を制御するエネルギー需要制御装置のコンピュータに、需要家設備におけるエネルギー使用状況を含む需要家情報を需要家ごとに取得する取得ステップと、前記制御期間が複数の期間に分割された期間であるサイクル期間ごとに前記エネルギー需要量の制御量の目標値であって前記需要家設備の全てに対するエネルギー需要量の制御量の目標値を設定し、前記サイクル期間ごとに前記エネルギー需要量の制御の実施効果を測定し、測定した実施効果の結果に基づいて次のサイクル期間の前記エネルギー需要量の制御量の目標値を再設定する管理ステップと、前記需要家設備において削減可能なエネルギー需要量の予測値または促進可能なエネルギー需要量の予測値である調整可能量予測値を前記需要家設備ごとに予測する予測ステップと、前記エネルギー需要量の制御量の目標値と、少なくとも前記調整可能量予測値とに基づいて前記エネルギー需要量を制御する対象とする需要家設備を選定する選定ステップと、選定された前記需要家設備へエネルギー需要量の削減または増加をさせるための制御信号を送信する送信ステップと、を実行させるためのプログラムである。
【発明の効果】
【００１７】
本発明によれば、適切に需要家を選定してエネルギー需要量を制御することができる。
【図面の簡単な説明】
【００１８】
【図１】本発明の実施形態に係る電力需要制御システムの構成を示す概略図である。
【図２】従来のデマンドレスポンスによる電力需要制御の一例を示す概略図である。
【図３】本実施形態に係る電力需要制御システムの電力需要制御装置による電力需要制御の一例を示す概略図である。
【図４】本発明の実施形態に係る電力需要制御システムの電力需要制御装置の機能構成を示すブロック図である。
【図５】本実施形態に係る電力需要制御システムの電力需要制御装置による需要家選定の選定ロジックの一例を示す図である。
【図６】本実施形態に係る電力需要制御システムの電力需要制御装置による需要家選定の選定ロジックの一例を示す図である。
【図７】本実施形態に係る電力需要制御システムの電力需要制御装置による需要家選定の選定ロジックの一例を示す図である。
【図８】本実施形態に係る電力需要制御システムの電力需要制御装置による需要家選定の選定ロジックの一例を示す図である。
【図９】本実施形態に係る電力需要制御システムの電力需要制御装置による需要家選定の選定ロジックの一例を示す図である。
【図１０】本発明の実施形態に係る電力需要制御システムの電力需要制御装置の動作を示すフローチャートである。
【発明を実施するための形態】
【００１９】
（実施形態）
以下、本発明の実施形態について説明する。
【００２０】
（電力需要制御システムの構成）
まず、本発明の実施形態に係る電力需要制御システムの構成について、図面を参照しながら説明する。
図１は、本発明の実施形態に係る電力需要制御システム１の構成を示す概略図である。
図示するように、電力需要制御システム１（エネルギー需要制御システム）は、電力需要制御装置１０（エネルギー需要制御装置）と、電力系統２０と、少なくとも１つの需要家設備３０と、通信ネットワーク４０と、配電線５０と、を含んで構成される。
【００２１】
電力需要制御装置１０は、目標とする電力需要量となるように制御対象の期間である制御期間に需要家の機器を制御するエネルギー需要制御装置である。電力需要制御装置１０は、情報処理装置、例えば、汎用コンピュータ、またはパーソナルコンピュータ等を含んで構成される。電力需要制御装置１０と需要家設備３０とは通信ネットワーク４０を介して通信接続される。通信ネットワーク４０は、例えば、ＬＡＮ（Ｌｏｃａｌ  Ａｒｅａ  Ｎｅｔｗｏｒｋ；構内通信網）、ＷＡＮ（Ｗｉｄｅ  Ａｒｅａ  Ｎｅｔｗｏｒｋ；広域ネットワーク）等の専用線、およびインターネット等を含んで構成される。
【００２２】
電力系統２０は、電力を需要家の受電設備に供給するための、発電・変電・送電・配電を統合したシステムである。電力系統２０は、配電線５０を介して需要家設備３０へ電力を供給する。
なお、電力需要制御装置１０と電力系統２０とは、例えば、電力会社等によって管理される。
なお、本実施形態においては電力需要を制御するシステムを例として説明するが、これに限られない。本発明に係る制御システムは、例えば、ガス等のその他のエネルギーの需要量を制御するような制御システムにも適用可能である。
【００２３】
需要家設備３０は、需要家の設備であり、電力系統２０から配電線５０を介して供給される電力を使用する負荷機器３０３を備える。需要家設備３０は、例えば、工場、ビル、または住戸などである。
図示するように、需要家設備３０は、スマートメータ３０１と、電力管理装置３０２と、少なくとも１つの負荷機器３０３と、を含んで構成される。
なお、需要家設備３０は、電力系統２０から配電線５０を介して供給される電力を蓄電する蓄電装置（図示せず）や、自家発電装置（図示せず）などを含むような構成であってもよい。
【００２４】
スマートメータ３０１は、通信機能を備えた電力量計である。スマートメータ３０１は、電力需要制御装置１０と通信ネットワーク４０を介して通信接続する。スマートメータ３０１は、計測した負荷機器３０３の電力使用量（エネルギー使用量）などのデータを電力需要制御装置１０へ送信する。なお、スマートメータ３０１が、需要家設備３０が有する蓄電装置（図示せず）に蓄電された電力の計測値を示すデータも電力需要制御装置１０へ送信するようにしてもよい。
【００２５】
電力管理装置３０２は、電力系統２０から供給される電力を管理したり、負荷機器３０３へ供給される電力を制御したりする装置である。電力管理装置３０２は、電力需要制御装置１０から送信された機器制御信号が示す電力制御要求の要請に基づいて、負荷機器３０３へ供給される電力を制御する。電力管理装置３０２は、例えば、省エネルギー技術であるＥＭＳ（Ｅｎｅｒｇｙ  Ｍａｎａｇｅｍｅｎｔ  Ｓｙｓｔｅｍ；エネルギー管理システム）、例えば、ＦＥＭＳ（Ｆａｃｔｏｒｙ  ＥＭＳ；工場エネルギー管理システム）、ＢＥＭＳ（Ｂｕｉｌｄｉｎｇ  ＥＭＳ；ビルエネルギー管理システム）、またはＨＥＭＳ（Ｈｏｍｅ  ＥＭＳ；住戸エネルギー管理システム）を含んで構成される。
【００２６】
なお、本実施形態においては、電力需要制御装置１０から送信された機器制御信号に基づいて、電力管理装置３０２によって負荷機器３０３へ供給される電力が制御されるものとしたが、これに限られない。例えば、負荷機器３０３が、電力需要制御装置１０から送信された機器制御信号を直接受信して、自らの負荷機器３０３へ供給される電力を制御するような構成であってもよい。また、例えば、電力需要制御装置１０から送信された機器制御信号によって自動的に電力需要が制御されるのではなく、需要家に対して使用電力を調整するための通知が送信され、需要家が手動で負荷機器を操作し使用電力を調整するような構成であってもよい。
【００２７】
負荷機器３０３は、電力系統２０から供給される電力によって動作する電気機器である。負荷機器３０３は、例えば、工場の生産設備、ビルの照明設備、および家庭用電化製品などである。
【００２８】
（従来のデマンドレスポンスによる制御例）
ここで、本発明の特徴を分かり易くするため、まず、従来のデマンドレスポンスによる電力需要制御の一例について説明する。
図２は、従来のデマンドレスポンスによる電力需要制御の一例を示す概略図である。図２に示すグラフにおいて、縦軸は電力需要量（エネルギー需要量）を表し、横軸は時間を表す。また二重線は電力需要量の目標値を表し、実線は電力需要量の実際値を表す。したがって、本例においては、時間ｔ００の時点において、電力需要量の目標値よりも実際値のほうがより数値が大きいため、電力需要量を削減させるための電力制御が行われる。そして、電力需要量の削減目標値は、図示するようにｄｆである。なお、電力需要量の目標値よりも実際値のほうがより数値が小さい場合には、電力需要量を促進させるための電力制御が行われる。
【００２９】
まず、時間ｔ００の時点において、電力需要量の目標値の設定（すなわち、図２に示す二重線の設定）、および電力需要制御の継続期間（電力需要制御の開始から終了までの期間）などが設定される。これらの設定は、例えば、電力需要制御システムの管理者による操作入力に基づいて行われる。
時間ｔ００の時点から時間ｔ０１までの時点の間において、電力需要制御を行う対象とする需要家設備の選定等が行われる。そして、時間ｔ０１の時点において、電力需要制御システムから需要家設備へ機器制御命令が送信され、電力需要制御を行う対象とする需要家設備が有する負荷機器に対する機器制御が開始される。
【００３０】
時間ｔ０１の時点において機器制御が開始されると、負荷機器における電力使用量が削減され始める。以下に、電力需要制御を行ったことによる結果を示す複数のシナリオについて説明する。
例えば、図２において点線で示した矢印は、シナリオａ１における電力需要量の推移を表している。シナリオａ１においては、時間ｔ０１の時点から時間ｔ０２の時点までの間において、電力需要量が徐々に削減している。そして、時間ｔ０２の時点において、電力需要量の目標値（すなわち、二重線が示す値）よりもやや大きい電力需要量のところで削減が止まっている。そして、時間ｔ０２の時点よりも後の時間においては、上記の電力需要量の値が継続する結果となっている。
【００３１】
このように、従来のデマンドレスポンスによる電力需要制御においては、需要家設備の選定の時点において推測された電力需要量の削減量に基づいて電力需要制御を行うしかないため、電力需要量の目標値と実際値との乖離が発生することがある。
【００３２】
例えば、図２において破線で示した矢印は、シナリオａ２における電力需要量の推移を表している。シナリオａ１と同様に、シナリオａ２においても、時間ｔ０１の時点から時間ｔ０２の時点までの間において、電力需要量が削減している。そして、時間ｔ０２の時点において、電力需要量の目標値（すなわち、二重線が示す値）と同じ電力需要量のところで削減が止まっている。そして、時間ｔ０２の時点よりも後の時間においては、目標値と同じ電力需要量の値が継続する結果となっている。
【００３３】
このシナリオａ２のように、電力需要制御における目標値と実際値とが一致した状態が継続する結果になることが好ましいが、例えば、図２において一点鎖線で示した矢印が表すシナリオａ３、または、図２において一点鎖線で示した矢印が表すシナリオａ４のようなシナリオも、実際には起こりうる。
シナリオａ３では、時間ｔ０３の時点から、電力需要量が徐々に促進され始めている（再び電力需要量の値が大きくなる）結果となっている。また、シナリオａ４では、時間ｔ０３の時点から、電力需要量が徐々に削減される（さらに電力需要量の値が小さくなる）結果となっている。
【００３４】
このように、従来のデマンドレスポンスによる電力需要制御においては、例えば、需要家によるキャンセル行動が発生すること等によって、シナリオａ３のように、再び電力需要量が、制御する前の値に戻る方向へ推移してしまうことがある。ここでいうキャンセル行動とは、例えば、再び負荷機器の電力使用量を大きくするような設定変更が行われることなどである。例えば、夏場において、空調設備の設定温度が２４度に設定されていた際に、電力需要制御装置による機器制御により設定温度を２７度に変更する制御がなされた後、需要家によって再び設定温度が２５度に変更される、といった場合の需要家の行動も、上記において説明したキャンセル行動の１つである。
【００３５】
また、このように、従来のデマンドレスポンスによる電力需要制御においては、例えば、需要家が途中で外出して負荷機器の電源を切ってしまうこと等によって、シナリオａ４のように、電力需要量が目標値を超える方向へさらに推移してしまうことがある。
【００３６】
以上説明したように、従来のデマンドレスポンスによる電力需要制御においては、目標値を設定してデマンドレスポンスを発動した場合であっても、電力需要量の削減量の予測誤差や、電力需要制御開始後の需要家の行動（例えば、キャンセル行動）などによって、実際値と目標値との乖離が発生してしまうことがある。
【００３７】
（本実施形態に係る電力需要制御装置による制御例）
次に、本実施形態における電力需要制御の一例について説明する。
図３は、本実施形態に係る電力需要制御システム１の電力需要制御装置１０による電力需要制御の一例を示す概略図である。図３に示すグラフにおいて、縦軸は電力需要量を表し、横軸は時間を表す。また二重線は電力需要量の目標値を表し、実線は電力需要量の実際値を表す。したがって、本例においては、時間ｔ１０の時点において、電力需要量の目標値よりも実際値のほうがより数値が大きいため、最初は、電力需要量を削減させるための電力制御が行われる。そして、本例における電力需要量の削減目標値は、図示するように１０ｋｗである。
【００３８】
まず、時間ｔ１０の時点において、電力需要量の指定値の設定（すなわち、図３に示す二重線の設定）、および電力需要制御の継続期間などが設定される。これらの設定は、例えば、電力需要制御装置１０の管理者による操作入力に基づいて行われる。
また、本実施形態に係る電力需要制御装置１０は、上記において設定された継続期間を複数の期間に分割した期間であるサイクル期間を決定する。例えば、電力需要制御の継続期間が２時間であるのに対して、当該継続期間を８つに分割する１５分間のサイクル期間が決定される。
【００３９】
なお、サイクル期間は、制御対象の機器（例えば、負荷機器３０３）が対応可能な制御応答速度を考慮して設定されるようにしてもよい。
また、サイクル期間は、過去の統計に基づいて適切な長さに設定されるようにしてもよい。また、サイクル期間は、スマートメータ３０１が需要家情報を送信可能な間隔に応じて設定されるようにしてもよい。
【００４０】
本実施形態に係る電力需要制御装置１０は、まず、最初のサイクル期間であるサイクル１における目標値を設定する。図示するように、本例においては、サイクル１における電力需要量の制御の目標値は、１０ｋｗ削減である。
【００４１】
なお、電力需要量の制御量の目標値は、上述したような、指定された電力需要量（指定値）と実際の電力使用量（実際値）との差分値そのものであることには限られない。例えば、電力需要量の制御量の目標値として、指定された電力需要量よりも所定の量だけ少ない（または、多い）電力需要量が設定されるようにしてもよい。
または、電力需要量の制御量の目標値には、例えば、制御期間中における実績値の平均が、指定された電力需要量に近づくような値が設定されるようにしてもよい。すなわち、電力需要量の制御量の目標値は、制御期間全体として目標値と実際値との差を少なくするように定められてもよい。
【００４２】
そして、時間ｔ１０の時点から時間ｔ１１の時点までの間において、電力需要制御を行う対象とする需要家設備３０の選定等が行われる。そして、時間ｔ１１の時点において、電力需要制御装置１０から制御対象として選定した需要家設備３０へ機器制御命令が送信される。そして、時間ｔ１２の時点から、制御対象として選定された需要家設備３０が有する負荷機器３０３に対する機器制御が開始される。
【００４３】
サイクル１のサイクル期間の終わりに近い時間ｔ１３の時点から、サイクル１において行われた電力需要制御の効果測定が行われる。この効果測定により、例えば、図示するように、目標値を２ｋＷ超過する削減がなされた（すなわち、ｔ１０の時点における電力需要量から１２ｋＷの削減がなされた）ことが測定される。効果測定がなされると、ｔ１４の時点において、電力需要制御装置１０は、当該効果測定の結果に基づいて目標値の補正（すなわち、次のサイクル期間であるサイクル２における目標値の設定）を行う。
本例においては、サイクル１での電力需要制御によって目標値を２ｋＷ超過する削減がなされたことから、サイクル２における目標値は電力需要を促進させる促進目標値であり、２ｋｗである。
【００４４】
次に、本実施形態に係る電力需要制御装置１０は、サイクル１のサイクル期間が終了し、サイクル２のサイクル期間が開始するｔ１５の時点から時間ｔ１６の時点までの間において、電力需要制御を行う対象とする需要家設備の選定等を行う。そして、時間ｔ１６の時点において、電力需要制御装置１０から制御対象として選定した需要家設備３０へ機器制御命令が送信される。そして、時間ｔ１７の時点から、制御対象として選定された需要家設備３０が有する負荷機器に対する機器制御が開始される。
【００４５】
サイクル２のサイクル期間の終わりに近い時間ｔ１８の時点から、サイクル２において行われた電力需要制御の効果測定が行われる。この効果測定により、例えば、図示するように、目標値と一致する電力需要量（実際値）となるように制御がなされたことが測定される。電力需要制御装置１０は、当該効果測定の結果に基づき、次のサイクル３に向けては（目標値と実際値とが一致していることから）目標値の補正は行わない。
【００４６】
時間ｔ１９の時点において、サイクル２のサイクル期間が終了し、サイクル３のサイクル期間が開始する。
サイクル３のサイクル期間の終わりに近い時間ｔ２０の時点から、サイクル３において行われた電力需要制御の効果測定が行われる。この効果測定により、例えば、図示するように、目標値を４ｋＷ超過する促進がなされた（すなわち、ｔ１９の時点における電力需要量から４ｋＷの促進がなされた）ことが測定される。効果測定がなされると、ｔ２１の時点において、電力需要制御装置１０は、当該効果測定の結果に基づいて目標値の補正（すなわち、次のサイクル期間であるサイクル４における目標値の設定）を行う。
本例では、サイクル３の期間において、目標値から４ｋＷ乖離する電力需要量の促進（増加）がなされたことから、サイクル４における目標値は、電力需要を削減させる削減目標値であり、４ｋｗである。
【００４７】
次に、サイクルの３サイクル期間が終了し、サイクル４のサイクル期間が開始するｔ２２の時点から時間ｔ２３の時点までの間において、本実施形態に係る電力需要制御装置１０は、電力需要制御を行う対象とする需要家設備の選定等を行う。そして、時間ｔ２３の時点において、電力需要制御装置１０から制御対象として選定された需要家設備３０へ機器制御命令が送信される。そして、時間ｔ２４の時点から、制御対象として選定された需要家設備３０が有する負荷機器３０３に対する機器制御が開始される。
【００４８】
サイクル４のサイクル期間の終わりに近い時間ｔ２５の時点から、サイクル４において行われた電力需要制御の効果測定が行われる。この効果測定により、例えば、図示するように、目標値と電力需要量（実際値）とが一致するように制御がなされたことが測定される。電力需要制御装置１０は、当該効果測定の結果に基づき、（目標値と実際値とが一致していることから）目標値の補正は行わない。
【００４９】
このように、本実施形態に係る電力需要制御装置１０は、デマンドレスポンスの処理サイクルを複数回繰り返し、サイクルごとに効果測定、目標の再設定を行うことで、目標の達成および効果の維持を実現することができる。
【００５０】
（電力需要制御装置の構成）
次に、電力需要制御装置１０の詳細な機能構成について、図面を参照しながら説明する。
図４は、本発明の実施形態に係る電力需要制御システム１の電力需要制御装置１０の機能構成を示すブロック図である。
図示するように、電力需要制御装置１０は、需要家情報取得部１０１と、電力需要管理部１０２と、記憶部１０３と、調整可能量予測部１０４と、需要家選定部１０５と、機器制御信号送信部１０６と、を含んで構成される。
【００５１】
需要家情報取得部１０１は、需要家設備３０が有するスマートメータ３０１から、通信ネットワーク４０を介して、需要家設備３０における電力使用状況（エネルギー使用状況）を含む需要家情報（現在制御実績情報）を示すデータを需要家ごとに取得する。需要家情報とは、例えば、需要家設備３０が有する負荷機器３０３のリアルタイムの稼働状況を示す情報、および需要家設備３０が有する負荷機器３０３のリアルタイムの電力使用状況を示す情報、および機器制御に対する応答を示す情報などである。機器制御に対する応答を示す情報とは、例えば、機器制御の要求に対する承諾または拒否を示す情報、キャンセル行動を行ったことを示す情報などである。
【００５２】
電力需要管理部１０２は、目標とする電力需要量と制御対象の期間である制御期間とを示す情報を含むイベント情報を取得する。電力需要管理部１０２は、当該制御期間を複数の期間に分割した期間であるサイクル期間ごとに、電力需要量の制御量の目標値と、電力需要量の制御の実施効果とを管理する。電力需要量の制御量の目標値には、例えば、指定された電力需要量と、実際の電力使用量との差分値が設定される。
【００５３】
更に詳しくは、図示するように、電力需要管理部１０２は、イベント情報設定部１０２１と、効果測定部１０２２と、目標設定部１０２３と、を含んで構成される。
イベント情報設定部１０２１は、目標とする電力需要量と制御対象の期間である制御期間とを示す情報を含むイベント情報を取得する。イベント情報設定部１０２１は、イベント情報を、例えば、電力需要制御装置１０の管理者による操作入力に基づいて取得する。
効果測定部１０２２は、後述する目標設定部１０２３によって設定された電力需要量の制御量の目標値と、需要家情報取得部１０１によって取得された需要家情報が示す電力使用量（実際値）とに基づいて、電力需要量の制御の効果を測定する。
【００５４】
目標設定部１０２３は、イベントの制御期間（例えば、２時間）を複数の期間（例えば、１５分間を８回）に分割した期間であるサイクル期間ごとに、電力需要量の制御量の目標値を設定する。
なお、上述したように、電力需要量の制御量の目標値は、上述したような、指定された電力需要量と実際の電力使用量との差分値であることには限られない。例えば、電力需要量の制御量の目標値は、指定された電力需要量よりも所定の量だけ少ない（または、多い）電力需要量を目標値とするようにしてもよい。
【００５５】
また、電力需要管理部１０２は、需要家情報取得部１０１から取得した需要家情報に基づいて、需要家設備ごとの実績情報を後述する記憶部１０３に記憶させる。これにより、過去の実績情報（過去制御実績情報）が更新される。
【００５６】
記憶部１０３は、各種のデータ、および各種のアプリケーションプログラムを記憶する。なお、記憶部１０３は、電力需要制御装置１０における各種の処理の一時記憶領域としても用いられてもよい。記憶部１０３は、記憶媒体、例えば、ＨＤＤ（Ｈａｒｄ  Ｄｉｓｋ  Ｄｒｉｖｅ；ハードディスクドライブ）、フラッシュメモリ、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ；イーイープロム）、ＲＡＭ（Ｒａｎｄｏｍ  Ａｃｃｅｓｓ  ｒｅａｄ／ｗｒｉｔｅ  Ｍｅｍｏｒｙ；読み書き可能なメモリ）、ＲＯＭ（Ｒｅａｄ  Ｏｎｌｙ  Ｍｅｍｏｒｙ；読み出し専用メモリ）、又はそれらの任意の組み合わせを含んで構成される。
【００５７】
記憶部１０３は、例えば、電力使用実績情報、需要家蓄電情報、外的要因情報、および参加実績情報を記憶する。
電力使用実績情報とは、需要家設備ごと、または負荷機器３０３ごとの過去の電力使用量の実績値を示すデータである。
需要家蓄電情報とは、需要家設備ごとの蓄電設備（図示せず）に蓄電された電力に関する情報を示すデータである。
外的要因情報とは、天候や気候を示す情報、曜日や祝日等を示すカレンダー情報、各種の（電力使用に影響を与えるような）イベントの有無に関する情報、および顧客の電力供給会社との契約プランに関する情報などを含む、外的要因に関する情報を示すデータである。
参加実績情報とは、需要家設備ごとの、過去の電力需要制御に対する参加実績を示すデータである。
【００５８】
調整可能量予測部１０４は、需要家設備３０において削減可能な電力需要量の予測値または促進可能な電力需要量の予測値である調整可能量予測値を需要家設備３０ごと、または負荷機器ごとに予測する。例えば、調整可能量予測部１０４は、どの需要家設備３０が、どの時間帯に、どれくらいの電力使用量を削減または促進（増加）することができるかについての予測を定期的に（例えば、１時間ごとに）に行う。
調整可能量予測部１０４は、記憶部１０３に記憶された過去の実績情報（過去制御実績情報）や外的要因情報、および需要家情報取得部１０１によって取得されるリアルタイムの需要家情報などに基づいて、調整可能量予測値の予測を行う。
【００５９】
需要家選定部１０５は、目標値と、少なくとも調整可能量予測値と、に基づいて電力需要量を制御する対象とする需要家設備３０を選定する。
更に詳しくは、図示するように、需要家選定部１０５は、参加度算出部１０５１と、制御量確度算出部１０５２と、優先度決定部１０５３と、選定部１０５４と、を含んで構成される。
【００６０】
参加度算出部１０５１は、記憶部１０３に記憶された参加実績情報を用いて、需要家設備ごとの、過去の電力需要制御に対する参加度を算出する。参加度は、デマンドレスポンス発動時に需要家がどの程度の確度で参加をするかを表す。
なお、参加度は、時間帯ごとに分けてそれぞれ算出されるようにしてもよい。
【００６１】
制御量確度算出部１０５２は、記憶部１０３に記憶された参加実績情報に含まれる、需要家設備ごとの制御実績（すなわち、電力使用量の削減量または促進量）と、当該需要家設備における電力使用量の削減または促進の実施可能量の予測値と、の間の乖離等に基づいて算出される制御量確度を算出する。制御量確度は、デマンドレスポンス発動時の制御命令に対して、需要家設備がどの程度の確度で遂行するかを表す。
【００６２】
優先度決定部１０５３は、参加度算出部１０５１によって算出された需要家ごとの参加度と、制御量確度算出部１０５２によって算出された需要家ごとの制御量確度とに基づいて、電力需要制御の対象とする需要家設備を選定するために用いられる需要家優先度を決定する。
選定部１０５４は、優先度決定部１０５３によって決定された需要家優先度に基づいて、電力需要制御の対象とする需要家設備を選定する。なお、需要家選定における選定ロジックの例については、後述する。
【００６３】
機器制御信号送信部１０６は、選定された需要家設備３０へ電力需要量の削減または促進（増加）をさせるための制御信号を送信する。
【００６４】
（需要家選定における選定ロジックの第１の実施例）
以下に、需要家選定部１０５において行われる需要家選定の選定ロジックの第１の実施例について詳しく説明する。
図５乃至図７は、本実施形態に係る電力需要制御システム１の電力需要制御装置１０による需要家選定の選定ロジックの一例を示す図である。
図５（Ａ）は、参加度算出部１０５１が、需要家の過去の参加実績情報をパターン別に分類する流れを表す。
【００６５】
（ステップｓｔ１）まず図５（Ａ）のステップｓｔ１に示すように、参加度算出部１０５１は、過去の各参加実績の参加実績情報について、デマンドレスポンスを実行した際に需要家設備が制御可能な状態であったか否かを判定する。制御可能な状態であった場合には、ステップｓｔ２へ進む。そうでない場合は、「結果１」に該当する参加実績であったものとする。なお、制御可能でない状態とは、例えば、デマンドレスポンスを実行した際に、需要家の負荷機器３０３の電源が切られている状態であったり、需要家が明示的に参加拒否（オプトアウト）していたりするような状態などである。
【００６６】
（ステップｓｔ２）次に、参加度算出部１０５１は、過去の各参加実績の参加実績情報について、デマンドレスポンスを実行した際に、当該参加実績に対応する需要家設備３０が制御対象として選定されていたか否かを判定する。制御対象として選定されていた場合には、ステップｓｔ３へ進む。そうでない場合は、「結果２」に該当する参加実績であったものとする。
【００６７】
（ステップｓｔ３）次に、参加度算出部１０５１は、過去の各参加実績の参加実績情報について、デマンドレスポンスを実行した際に、需要家がキャンセル行動を行ったか否か、および実施可能量予測値と実績値との間に乖離があったか否かを判定する。需要家がキャンセル行動を行ったか、または実施可能量予測値と実績値との間に乖離があった場合は、「結果３」に該当する参加実績であったものとする。また、需要家がキャンセル行動を行っていなく、かつ、実施可能量予測値と実績値との間に乖離がなかった場合は、「結果４」に該当する参加実績であったものとする。
【００６８】
このように、参加度算出部１０５１は、過去の各参加実績の参加実績情報を、「結果１」、「結果２」、「結果３」、および「結果４」の４パターンに分類する。上述したように、結果１は、デマンドレスポンス発動時に需要家設備における使用電力を制御できない状態であった場合を表す。結果２は、需要家設備における使用電力の制御は可能な状態であったが、当該需要家設備が制御対象として選定されなかった場合を表す。結果３は、需要家設備における使用電力の制御は可能な状態であり、当該需要家設備が制御対象として選定されたが、需要家がキャンセル行動を行ったか、または実施可能量予測値と実績値との間に乖離があった場合を表す。結果４は、需要家設備における使用電力の制御は可能な状態であり、当該需要家設備が制御対象として選定され、需要家はキャンセル行動を行うことなく、かつ実施可能量予測値と実績値との間に乖離がなかった場合を表す。
【００６９】
図５（Ｂ）は、参加度算出部１０５１が、上記において過去の各参加実績情報を分類した結果として得られた４つのパターンに対し、それぞれ重み付けをした様子を表す。重み付けは、例えば、機械学習等を用いることにより、需要家の選定に対して最適化されるように調整される。図示するように、本例においては、結果１に対しては重み＜ａ＞、結果２に対しては重み＜ｂ＞、結果３に対しては重み＜ｃ＞、および結果４に対しては重み＜ｄ＞が設定されている。
【００７０】
参加度算出部１０５１は、上記の結果を用いて、下記の計算式（１）に基づいて需要家ごとの参加度を算出する。
【００７１】
「参加度」＝「結果１」＊＜ａ＞＋「結果２」＊＜ｂ＞＋「結果３」＊＜ｃ＞＋「結果４」＊＜ｄ＞  ・・・（１）
【００７２】
上述したように、参加度は、デマンドレスポンス発動時に需要家がどの程度の確度で参加をするかを表す。
次に、制御量確度算出部１０５２は、上述したように、記憶部１０３に記憶された参加実績情報に含まれる、需要家設備ごとの制御実績と、当該需要家設備における電力使用量の削減または促進（増加）の調整可能量の予測値と、の間の乖離等に基づいて算出される制御量確度を算出する。制御量確度は、デマンドレスポンス発動時の制御命令に対して、需要家設備がどの程度の確度で遂行するかを表す。
【００７３】
図６（Ａ）は、優先度決定部１０５３が、需要家と、参加度算出部１０５１によって算出された需要家ごとの参加度と、制御量確度算出部１０５２によって算出された需要家ごとの制御量確度と、を対応付けたテーブルを生成した様子を表す。図示するように、例えば、需要家「Ａ」に対しては、参加度「１００」と制御量確度「４０」とが対応付けられている。本例においては、参加度および制御量確度には、０から１００までの間の値が設定され、１００が最も確度が高く、０が最も確度が低いものとする。
【００７４】
優先度決定部１０５３は、上記において生成したテーブルについて、参加度の高い順にソートを行う。図６（Ｂ）は、参加度の高い順にソートが行われた結果を表す。
優先度決定部１０５３は、ソートした結果等に基づいて、電力需要制御の対象とする需要家設備３０を選定するために用いられる需要家優先度を決定する。そして、優先度決定部１０５３は、決定した需要家優先度に基づいて、電力需要制御の対象とする需要家設備３０を選定する。なお、この選定は、電力需要制御の効果や、需要家間の公平性なども考慮して行われる。図６（ｃ）は、電力需要制御の対象とする需要家設備３０が選定された結果を表す。
【００７５】
なお、図６（ｃ）に示すテーブルには、「初回対象」という項目の列が追加されている。この「初回対象」の項目の値に「×」がついている需要家の需要家設備３０は、初回（すなわち、サイクル１のサイクル期間）の電力需要制御の対象としては選定されないことを表す。
例えば、優先度決定部１０５３は、参加度と制御量確度とがともに高い値（例えば、参加度が９０以上、かつ、制御量確度が２０以上）である需要家に対して、「初回対象」の項目の値に「×」を設定する。なぜならば、参加度と制御量確度がともに高い需要家は、電力需要制御における結果の信頼度が高いことから、例えば、緊急時の電力需要制御や、電力需要制御の後半のサイクル期間における電力の微調整の時のために、あえて初回の制御対象からは外される。
【００７６】
なお、初回対象から除外する需要家設備３０の数は、電力需要制御の制御量に基づいて決定するようにしてもよい。
なお、初回対象から除外する需要家設備３０をどのように決定するかについては、制御対象期間の長さや、電力需要の制御量などを考慮して決定するようにしてもよい。
以上により、優先度決定部１０５３による需要家設備３０の優先度が決定される。
【００７７】
次に、選定部１０５４は、優先度決定部１０５３によって生成された図６（ｃ）のテーブルに対し、需要家ごとに「電力調整量予測」の値と、「制御可否」の値とをさらに対応付ける。
図７は、優先度決定部１０５３によって生成されるテーブルの一例を示す図である。
【００７８】
「電力調整量予測」の値は、記憶部１０３に記憶された需要家ごとの過去の参加実績情報、外的要因情報、および需要家情報取得部１０１が取得する需要家設備３０ごとの現在の電力使用状況を示す情報などを考慮して算出される。また、「制御可否」の値は、需要家情報取得部１０１が取得する需要家設備３０ごとの負荷機器３０３の現在の稼働状況を示す情報などを考慮して算出される。
【００７９】
図７に図示するように、例えば、需要家「Ｃ」に対しては、「電力調整量予測」の値として「２０」、また「制御可否」の値として「不可」が対応付けられている。これは、需要家「Ｃ」の需要家設備３０が、２０ｋｗの電力削減が可能であると予測されていること、および、需要家「Ｃ」の需要家設備３０が現在は制御不可能な状態であること、を表している。
【００８０】
選定部１０５４は、上記において生成したテーブルが示す情報に基づいて、電力需要制御の対象とする需要家設備３０を選定する。なお、制御対象が一部の需要家設備３０に偏らないよう公平性を高めるため、需要家設備３０の選定の際に、電力需要制御の目標量の一部を、優先度の上位からではなく、例えば、ランダムに選定する。
【００８１】
例えば、５０ｋＷの電力削減を行う場合、選定部１０５４は、そのうちの７０％の値（すなわち、３５ｋＷ）に達するまで、優先度が上位の需要家設備３０を選定する。図７に示す例においては、１８ｋＷの電力削減が可能と予測される需要家Ｉと１９ｋＷの電力削減が可能と予測される需要家Ｈとが選定される。これにより、合計３７ｋＷとなり目標値の７４％分となるため、目標値の７０％の値に達する。
【００８２】
なお、図７に図示するように、需要家Ａおよび需要家Ｆの需要家設備３０については、初回の選定対象からは外されているため、選定されていない。また、需要家Ｃの需要家設備３０は、制御不可能な状態であるため、選定されていない。したがって、需要家Ａ、需要家Ｃ、および需要家Ｆを除いた需要家の中で、優先度の高い順に需要家Ｉと需要家Ｈが選定される。
【００８３】
次に、選定部１０５４は、残りの２６％（すなわち、１３ｋＷ）分について、ランダムに需要家を選定する。図７に示す例において、選定部１０５４は、残りの需要家Ｇ、需要家Ｅ、または需要家Ｄなどから選定する。選定部１０５４は、例えば、１１ｋＷの電力削減が可能と予測される需要家Ｇと、３ｋＷの電力削減が可能と予測される需要家Ｄとを選択する。これにより、合計１４ｋＷとなり残りの目標値分が達成される。
【００８４】
なお、上述したように、需要家Ｂの需要家設備３０は、制御不可能な状態であるため、選定されない。
このように、選定部１０５４は、選定する需要家設備３０の一部についてはランダムに選定することで、電力需要制御の効果を維持しつつも、対象とする需要家の偏りを防ぎ公平性を保つことができる。
【００８５】
（需要家選定における選定ロジックの第２の実施例）
以下に、需要家選定部１０５において行われる需要家選定の選定ロジックの第２の実施例について説明する。
図８は、本実施形態に係る電力需要制御システム１の電力需要制御装置１０による需要家選定の選定ロジックの一例を示す図である。図８において、テーブルｔｂ１は、サイクル１のサイクル期間の開始時点である時間ｔ３０の時点における、需要家と、信頼度と、選定対象であるか否かを示すフラグと、を需要家ごとに対応付けたテーブルである。
【００８６】
なお、ここでいう信頼度とは、上記において参加度と制御量確度との２つのパラメータによって表される（制御予測の）信頼度を、説明を簡単にするために、「◎」、「〇」、「△」、および「×」の４段階で簡単に表したものである。例えば、「◎」は信頼度が「高い」、「〇」は信頼度が「やや高い」、「△」は信頼度が「普通である」、および「×」は信頼度が「低い」ことを表すものとする。
【００８７】
選定部１０５４は、サイクル１における需要家選定において、まずは、信頼度が高い需要家Ａ、および信頼度がやや高い需要家Ｃをあえて選定の対象外とする。また、選定部１０５４は、信頼性が低い需要家Ｆを選定の対象とする。
図示するように、サイクル１における電力需要の制御では、制限目標の値には到達しなかったものとする。これにより、サイクル２のサイクル期間の開始時点である時間ｔ３１の時点において、再び需要家選定が行われる。
【００８８】
選定部１０５４は、サイクル２における需要家選定において、テーブルｔｂ２に示すように、信頼度がやや高い需要家Ｃを選定の対象として追加することにより、さらなる電力需要量の調整を行う。
【００８９】
サイクル３のサイクル期間内において、外的要因の変化、例えば、急な気温の上昇が生じ、図示するように、再び電力需要量が調整目標よりも高い値になったとする。この場合、選定部１０５４は、サイクル４における需要家選定において、テーブルｔｂ３に示すように、信頼度が高い需要家Ａを選定の対象として追加することにより、さらなる電力削減量の調整を行う。なお、需要家Ａは信頼度が高く、気温の上昇等が生じても電力使用量への影響少ない（すなわち、電力使用量が増加しない）需要家であるものとする。
【００９０】
このように、計画的なデマンドレスポンスを実施する場合には、需要家選定部１０５は、比較的高い確度での対応が見込める信頼度の高い需要家は初回の選定対象にはせず、２サイクル目以降において当該需要家を選定対象とする。これにより、信頼度の高い需要家ばかりが常に選定されるようなことがなく公平性が保たれつつ、予測値と実際値との乖離が発生した場合には信頼度の高い需要家が選定されることによって効率的に電力需要制御がなされる。
【００９１】
（需要家選定における選定ロジックの第３の実施例）
以下に、需要家選定部１０５において行われる需要家選定の選定ロジックの第３の実施例について説明する。
図９は、本実施形態に係る電力需要制御システム１の電力需要制御装置１０による需要家選定の選定ロジックの一例を示す図である。
計画的なデマンドレスポンスではなく、災害等による緊急性の高いデマンドレスポンスを実施する場合には、需要家選定部１０５は、初回（サイクル１）の需要家選定から、信頼度の高い需要家を選定する。図９のテーブルｔｂ４に図示するように、需要家選定部１０５は、信頼度の上位から、信頼度が高い需要家である需要家Ａおよび需要家Ｂ、そして信頼度がやや高い需要家Ｃを、サイクル１において選定する。
これにより、緊急時等においては、目標とする電力需要量へより早く到達されることが見込まれる。
【００９２】
（電力需要制御装置の動作）
以下、電力需要制御装置１０の動作について、図面を参照しながら説明する。
図１０は、本発明の実施形態に係る電力需要制御システム１の電力需要制御装置１０の動作を示すフローチャートである。本フローチャートは、電力需要制御装置１０の電力需要管理部１０２が、目標とする電力需要量と制御対象の期間である制御期間とを示す情報を含むイベント情報を取得した際に開始する。
【００９３】
（ステップｓｔ００１）電力需要制御装置１０の電力需要管理部１０２のイベント情報設定部１０２１は、目標とする電力需要量と制御対象の期間である制御期間とを示す情報を含むイベント情報を取得する。なお、上述したように、イベント情報設定部１０２１は、イベント情報を、例えば、電力需要制御装置１０の管理者による操作入力に基づいて取得する。その後、ステップｓｔ００２へ進む。
【００９４】
（ステップｓｔ００２）電力需要制御装置１０の需要家情報取得部１０１は、需要家設備３０が有するスマートメータ３０１から、通信ネットワーク４０を介して、需要家設備３０におけるリアルタイムの電力使用状況を含む需要家情報を示すデータを、需要家ごとに取得する。その後、ステップｓｔ００３へ進む。
【００９５】
（ステップｓｔ００３）電力需要制御装置１０の調整可能量予測部１０４は、記憶部１０３から過去情報を取得する。過去情報には、例えば、需要家ごとの過去の電力使用実績情報や、過去の外的要因時の電力需要制御における電力使用実績情報などが含まれる。その後、ステップｓｔ００４へ進む。
【００９６】
（ステップｓｔ００４）調整可能量予測部１０４は、需要家設備３０において削減可能な電力需要量の予測値または促進可能な電力需要量の予測値である調整可能量予測値を需要家設備３０ごとに予測する。その後、ステップｓｔ００５へ進む。
【００９７】
（ステップｓｔ００５）電力需要制御装置１０の需要家選定部１０５の参加度算出部１０５１は、記憶部１０３に記憶された参加実績情報を用いて、需要家設備ごとの、過去の電力需要制御に対する参加度を算出する。なお、上述したように、参加度は、デマンドレスポンス発動時に需要家がどの程度の確度で参加をするかを表す。その後、ステップｓｔ００６へ進む。
【００９８】
（ステップｓｔ００６）電力需要制御装置１０の需要家選定部１０５の制御量確度算出部１０５２は、記憶部１０３に記憶された参加実績情報に含まれる、需要家設備ごとの制御実績（すなわち、電力使用量の削減量または促進量）と、当該需要家設備における電力使用量の削減または促進の実施可能量の予測値と、の間の乖離等に基づいて算出される制御量確度を算出する。なお、上述したように、制御量確度は、デマンドレスポンス発動時の制御命令に対して、需要家設備がどの程度の確度で遂行するかを表す。その後、ステップｓｔ００７へ進む。
【００９９】
（ステップｓｔ００７）電力需要制御装置１０の需要家選定部１０５の優先度決定部１０５３は、参加度算出部１０５１によって算出された需要家ごとの参加度と、制御量確度算出部１０５２によって算出された需要家ごとの制御量確度とに基づいて、電力需要制御の対象とする需要家設備を選定するために用いられる需要家優先度を決定する。その後、ステップｓｔ００８へ進む。
【０１００】
（ステップｓｔ００８）電力需要制御装置１０の電力需要管理部１０２の目標設定部１０２３は、イベントの制御期間（例えば、２時間）を複数の期間（例えば、１５分間を８回）に分割した期間であるサイクル期間ごとに、電力需要量の制御量の目標値を設定する。その後、ステップｓｔ００９へ進む。
【０１０１】
（ステップｓｔ００９）電力需要制御装置１０の需要家選定部１０５の選定部１０５４は、優先度決定部１０５３によって決定された需要家優先度に基づいて、電力需要制御の対象とする需要家設備を選定する。その後、ステップｓｔ０１０へ進む。
【０１０２】
（ステップｓｔ０１０）電力需要制御装置１０の機器制御信号送信部１０６は、選定された需要家設備３０へ、電力需要量の削減または電力需要量の促進をさせるための機器制御信号を送信する。その後、ステップｓｔ０１１へ進む。
【０１０３】
（ステップｓｔ０１１）電力需要管理部１０２は、１サイクル分のサイクル期間（例えば、１５分間）が経過したか否かを検知する。１サイクル分のサイクル期間が経過した場合には、ステップｓｔ０１２へ進む。そうでない場合は、ステップｓｔ０１１に留まる。
【０１０４】
（ステップｓｔ０１２）需要家情報取得部１０１は、需要家設備３０が有するスマートメータ３０１から、通信ネットワーク４０を介して、需要家設備３０におけるリアルタイムの電力使用状況を含む需要家情報を示すデータを、需要家ごとに取得する。その後、ステップｓｔ０１３へ進む。
【０１０５】
（ステップｓｔ０１３）電力需要管理部１０２は、需要家情報取得部１０１から取得した需要家情報に基づいて、需要家設備ごとの実績情報を記憶部１０３に記憶させ、実績情報を更新する。その後、ステップｓｔ０１４へ進む。
【０１０６】
（ステップｓｔ０１４）電力需要制御装置１０の電力需要管理部１０２の効果測定部１０２２は、目標設定部１０２３によって設定された電力需要量の制御量の目標値と、需要家情報取得部１０１によって取得された需要家情報が示す電力使用量とに基づいて、電力需要量の制御の効果を測定する。その後、ステップｓｔ０１５へ進む。
【０１０７】
（ステップｓｔ０１５）電力需要管理部１０２は、イベント期間（例えば、２時間）が終了したか否か（すなわち、全てのサイクル期間が終了したか否か）を検知する。イベント期間が終了した場合には、本フローチャートの処理を終了する。そうでない場合には、ステップｓｔ００８へ戻る。
以上で、図１０に示すフローチャートの説明を終了する。
【０１０８】
なお、サイクル期間における電力需要量制御の目標値を設定するステップｓｔ００８の処理を、リアルタイムの需要家情報を取得するステップｓｔ００２の後に行うようにするとともに、ステップｓｔ０１５においてイベント期間が終了したと検知されていない場合には上記においてステップｓｔ００２の後に行うようにしたステップｓｔ００８へ戻るような構成であってもよい。すなわち、ステップｓｔ００８からステップｓｔ０１４までの処理だけでなく、ステップｓｔ００４からステップｓｔ００７までの処理も、サイクル期間毎に行われるような構成であってもよい。
【０１０９】
このように、本実施形態に係る電力需要制御装置１０は、デマンドレスポンスの処理サイクルを複数回繰り返し、サイクルごとに効果測定、目標の再設定を行うことで、目標の達成および効果の維持を実現することができる。
また、本実施形態に係る電力需要制御装置１０は、計画的なデマンドレスポンスを実施する場合には、比較的高い確度での対応が見込める信頼度の高い需要家は初回の選定対象にはせず、２サイクル目以降において当該需要家を選定対象とする。これにより、信頼度の高い需要家ばかりが常に選定されるようなことがなく公平性が保たれつつ、予測値と実際値との乖離が発生した場合には信頼度の高い需要家が選定されることによって効率的に電力需要制御がなされる。
また、本実施形態に係る電力需要制御装置１０は、災害等による緊急性の高いデマンドレスポンスを実施する場合には、初回（サイクル１）の需要家選定から、信頼度の高い需要家を選定する。これにより、緊急時等においては、目標とする電力需要量へより早く到達するように制御することができる。
【０１１０】
以上、説明したように、本実施形態に係る電力需要制御装置１０は、適切に需要家を選定してエネルギー需要量を制御することができる
【０１１１】
以上、この発明の実施形態について詳しく説明してきたが、具体的な構成は上述のものに限られることはなく、この発明の要旨を逸脱しない範囲内において様々な設計変更等をすることが可能である。
【０１１２】
なお、上述した実施形態における電力需要制御装置１０の一部又は全部をコンピュータで実現するようにしてもよい。その場合、この制御機能を実現するためのプログラムをコンピュータ読み取り可能な記録媒体に記録して、この記録媒体に記録されたプログラムをコンピュータシステムに読み込ませ、実行することによって実現してもよい。
【０１１３】
なお、ここでいう「コンピュータシステム」とは、電力需要制御装置１０に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。
【０１１４】
さらに「コンピュータ読み取り可能な記録媒体」とは、インターネット等のネットワークや電話回線等の通信回線を介してプログラムを送信する場合の通信回線のように、短時間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであっても良く、さらに前述した機能をコンピュータシステムにすでに記録されているプログラムとの組み合わせで実現できるものであってもよい。
【０１１５】
また、上述した実施形態における電力需要制御装置１０を、ＬＳＩ（Ｌａｒｇｅ  Ｓｃａｌｅ  Ｉｎｔｅｇｒａｔｉｏｎ）等の集積回路として実現してもよい。電力需要制御装置１０の各機能ブロックは個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【符号の説明】
【０１１６】
１・・・電力需要制御システム、１０・・・電力需要制御装置、２０・・・電力系統、３０・・・需要家設備、４０・・・通信ネットワーク、５０・・・配電線、１０１・・・需要家情報取得部、１０２・・・電力需要管理部、１０３・・・記憶部、１０４・・・調整可能量予測部、１０５・・・需要家選定部、１０６・・・機器制御信号送信部、３０１・・・スマートメータ、３０２・・・電力管理装置、３０３・・・負荷機器、１０２１・・・イベント情報設定部、１０２２・・・効果測定部、１０２３・・・目標設定部、１０５１・・・参加度算出部、１０５２・・・制御量確度算出部、１０５３・・・優先度決定部、１０５４・・・選定部
【図１】
0006722481.tif 000002
【図２】
0006722481.tif 000003
【図３】
0006722481.tif 000004
【図４】
0006722481.tif 000005
【図５】
0006722481.tif 000006
【図６】
0006722481.tif 000007
【図７】
0006722481.tif 000008
【図８】
0006722481.tif 000009
【図９】
0006722481.tif 000010
【図１０】
0006722481.tif 000011